(57)【要約】【課題】誰でも簡単に内装布を着脱することができ、外した内装布を洗ったり、破損した内装布を交換したりすることが簡単にできるスーツケースを提供すること。【解決手段】箱体と開閉自在に連結された蓋体とを有し、内装布襠部の上端周縁と箱体襠部の上端周縁とが着脱自在に接合され、内装布が箱体に着脱自在に取り付けてあることを特徴とし、さらには、このスーツケースにおいて、内装布襠部の上端周縁と箱体襠部の上端周縁とが、スライドファスナーにより着脱自在に接合されていることを特徴とする。【選択図】図１
2009148324.tif 000002
【特許請求の範囲】
【請求項１】
箱体と開閉自在に連結された蓋体とを有し、内装布襠部の上端周縁と箱体襠部の上端周縁とが着脱自在に接合され、内装布が箱体に着脱自在に取り付けてあることを特徴とするスーツケース。
【請求項２】
内装布襠部の上端周縁と箱体襠部の上端周縁とが、スライドファスナーにより着脱自在に接合されていることを特徴とする請求項１に記載のスーツケース。
【請求項３】
内装布襠部の下端と箱体襠部の下端、および／もしくは、内装布底部と箱体底部とが、面ファスナーもしくは点ファスナーにより着脱自在に接合されていることを特徴とする請求項１もしくは請求項２に記載のスーツケース。
【発明の詳細な説明】
【技術分野】
【０００１】
本願発明はスーツケースに関し、特にスーツケースの内装に関するものである。
【背景技術】
【０００２】
旅行用大型鞄として使用されるスーツケースは一般に箱状となっており、概ね四角状の底部とその周辺を襠部が取り囲む構造の箱体と開閉自在に連結された蓋体とを有する構造となっており、箱体襠部には把手やキャスターなどが取り付けられる。この襠部の内側には補強枠や補強板、把手やキャスターの取り付け部などと、これらを固定するための止め金具が取り付けられている。そして、伸縮式の把手が取り付けられている場合には、箱体の底部に把手の伸縮ポールの外筒が取り付けられる。そのため、これらの金具などによるスーツケースに収納する衣類などの損傷、汚れを防止したり、体裁を良くしたりするために、箱体の内部は内装布が取り付けられている。
【０００３】
このような内装布を体裁よく、しかも取り付け作業が簡単にできる方法として、特許文献１に、スライドファスナーを利用して、内装布で襠部を覆う方法が提案されている。この方法は、スライドファスナーの一方のエレメント装着テープを内装布の端縁に取り付け、エレメント装着テープの取り付けてない他端縁を襠部と底部とのまとめ縫着部に縫い付ける。そして、内装布の縫い付けてない襠部の他端縁に他方のエレメント装着テープを取り付け、このエレメント装着テープと内装布に取り付けたエレメント装着テープとのエレメントとをスライダーにより噛合わせることで、襠部に内装布を取り付ける方法である。さらに特許文献２には、開閉自在の挿入口を形成した内装布を襠部と底部に取り付け、この挿入部から補強板を挿入し、内装布と補強板を取り付けることが提案されている。この場合も、内装布の周縁を底部ないしは襠部に縫い付けることで内装布を取り付けている。
【０００４】
スーツケースの内装布は、収納する衣類などの損傷、汚れを防止したり、体裁を良くしたりするために取り付けられているが、把手やキャスターなどの付属設備の修理交換に際しては、内装布と箱体の襠部または底部との間の空間での作業となる。上記の従来技術では内装布にはスライドファスナーが取り付けられており、このファスナーを開くことによりこのような空間での作業が可能となる。しかしながら、スーツケースの内装布は使用している間に汚れたり、場合によっては破れたりして、取り替える必要が生じる場合がある。このような場合上記の従来技術では、内装布は襠部ないしは底部に縫い付けられているために、内装布の交換は容易ではなかった。
【特許文献１】特公平０１−３９７６６号公報
【特許文献２】特許第３２７５１３０号公報
【発明の開示】
【発明が解決しようとする課題】
【０００５】
本願発明は、誰でも簡単に内装布を着脱することができ、外した内装布を洗ったり、破損した内装布を交換したりすることが簡単にできるスーツケースを提供しようとするものである。
【課題を解決するための手段】
【０００６】
本願発明のスーツケースは、箱体と開閉自在に連結された蓋体とを有し、内装布襠部の上端周縁と箱体襠部の上端周縁とが着脱自在に接合され、内装布が箱体に着脱自在に取り付けてあることを特徴とし、さらには、このスーツケースにおいて、内装布襠部の上端周縁と箱体襠部の上端周縁とが、スライドファスナーにより着脱自在に接合されていることを特徴とする。
【０００７】
さらに、上記スーツケースは、内装布襠部の下端と箱体襠部の下端、および／もしくは、内装布底部と箱体底部とが、面ファスナーもしくは点ファスナーにより着脱自在に接合されていることを特徴とする。
【０００８】
また、本願発明でスーツケースとは旅行用に用いられる大型鞄のことであり、キャリーケースなどと称されるものも含み、内装布の取り付けられる外装地がＡＢＳなどの硬質プラスチック板やアルミ合金などの金属板などで構成されるハードケースタイプや、外装地が布地、革、人工皮革、軟質プラスチックシートなどで構成されるソフトケースタイプのいずれも含むものである。
【発明の効果】
【０００９】
本願発明のスーツケースは誰でも内装布を簡単に着脱することができるため、把手やキャスターなどの付属設備の修理は内装布を取り外して実施できる。さらに、内装布が汚れた時には取り外して洗うことができるし、破れて破損した時には内装布を交換できるほか、使用者の好みに応じて、柄、色、素材の異なる内装布に付け替えることもできる。
【発明を実施するための最良の形態】
【００１０】
本願発明の実施の態様をさらに、図を参照にしながら詳細に説明をするがこれらは好ましい態様であって、本願発明はその趣旨を満たす限り、これらの態様に限定されるものではない。
【００１１】
図１において、スーツケース本体１は箱体底部４の周囲を取り囲む箱体襠部３とからなる箱体と開閉自在に連結された蓋体２とを有し、箱体襠部３の上端周縁にスライドファスナーの一方のエレメント装着テープ５が縫着され取り付けられている。スーツケース本体１の箱体襠部３の内部には補強枠１０が、外側にはキャスター１２が取り付けられ、箱体底部４の内側には伸縮式把手の伸縮ポールの外筒１１が取り付けられている。内装布６は箱状の袋になっており、内装布底部８の周囲を取り囲む内装布襠部７とから成っており、これらの寸法はスーツケース本体１の箱体底部４と箱体襠部３と概略同じになっている。さらに、内装布襠部７の上端周縁にはスライドファスナーのもう一方のエレメント装着テープ９が縫着し取り付けてある。内装布６をスーツケース本体１の箱体内に収め、エレメント装着テープ５とエレメント装着テープ９とをスライダー（図示していない）にて、両方のエレメントを噛み合わせ、スライドファスナーを閉じることにより、内装布６をスーツケース本体１に取りつけることができる。また、取り付けた内装布６は、スライダーにてエレメントの噛み合わせを外し、スライドファスナーを開くことで、スーツケース本体1の箱体から取り外すことができ、着脱自在となっている。
【００１２】
ここで用いるスライドファスナーは金属ファスナー、コイルファスナー、プラスチックファスナーなど通常市場に供されているものが使用できる。スライドファスナーは金属やプラスチックで作られたエレメント（務歯）を布などのテープに装着し、スライダーと呼ばれる冶具にて、エレメントを装着した２本のテープのエレメントを噛み合わせたり、噛み合わせを外したりして、開閉を行うものである。本願発明では、このスライドファスナーの開閉に使用されるスライダーはエレメント装着テープ５もしくは９のいずれかのテープに取り付けられ、スライドファスナーの開閉やエレメントのはめ込みと取り外しに供される。
【００１３】
また、スーツケースの使用時に箱体のなかで内装布６がずれて、偏ったり、皺が寄ったりするのを防ぐため、内装布襠部７の下端と箱体襠部３の下端、もしくは内装布底部８と箱体底部４とを着脱自在に接合固定しておくことも好ましい。さらに、襠部の下端相互と底部相互の両方とも接合固定しておいてもよい。このような接合固定には面ファスナーや点ファスナーが使われる。面ファスナーは鉤(フック)と輪（ループ）の組み合わせで面を着脱自在としており、通常は一方の面がフック面であれば、他方の面をループ面として使用する。図１の内装布襠部７の下端に面ファスナーの一方の面１３（例えばフック面）を取り付け、本体１の箱体襠部３の下端に面ファスナーの他方の面（図示していないが面１３がフック面であればループ面）を取り付ける。前述のようにスライドファスナーを利用して、内装布襠部７の上端周縁を箱体襠部３の上端周縁に接合した後、内装布襠部７の下端を下方に引っ張り、箱体襠部３と内装布襠部７のそれぞれ下端に取り付けた面ファスナーを接合して、内装布６を本体1の箱体に固定する。このようにして、装着した内装布６は張力を持って張られており、本体１の箱体の中で移動して、偏ったり、皺が寄ったりすることがない。尚、面ファスナーとして、フックとループとを混在させてフック面とループ面の区別なく使用できるものを使用する場合は、内装布と箱体に面ファスナーの同じ面を取り付けても良いことは当然である。
【００１４】
上記では面ファスナーを箱体と内装布のそれぞれの襠部下端に取り付けたが、それぞれの底部４、８に面ファスナーを取り付け、同様にして内装布６を取り付けても、同じ効果が得られる。さらには、面ファスナーに替えて、複数の点ファスナーを使用してもよい。ここで点ファスナーとはホック、スナップボタンとも呼ばれるピンやバネなどを利用したワンタッチで着脱自在のボタン類のことである。これらの面ファスナーや点ファスナーは接合に際して、接合部分を直接見なくとも、内装布を介して押さえつければ接合可能であるので、スライドファスナーを閉じて内装布を装着した後でも、襠部３と襠部７との下端や底部４と底部８とを接合することができる。
【００１５】
図１に示した実施例では、内装布を箱体に着脱自在に取り付けるにはスライドファスナーを使用して、内装布と箱体それぞれの襠部の上端周縁を接合したが、スライドファスナーの代わりに、上記した面ファスナーや複数の点ファスナーをそれぞれの襠部の上端周縁に取り付けて接合してもよい。
【００１６】
スーツケース本体1の蓋体２は箱体襠部３と箱体底部４とで構成される箱体に開閉自在に取り付けられており、蓋体２は閉じられた後、止め具やスライドファスナーにより箱体に固定される。この蓋体２の固定に、スライドファスナーが用いられる場合には、図２に示すように蓋体２を固定するスライドファスナーのエレメント装着テープ１４を蓋体２の周縁と箱体襠部３の最上端周縁とに取り付け、内装布６を取り付けるためのスライドファスナーのエレメント装着テープ５は、取り付けたエレメント装着テープ１４の直ぐ下の上端周縁に取り付けられる。ここで、図では蓋体２は、箱体底部４とほぼ同じ大きさとしているが、蓋体２を小さいサイズとしたものでもよく、その場合には、箱体襠部３の上端は少し箱体内側に入り込むデザインとなり、その先端周縁にスライドファスナーのエレメント装着テープ１４が取り付けられる。さらには、蓋体の形状を小判型とするなど、デザイン上いろいろな形状とすることも可能である。
【００１７】
内装布の材質は繊維の布地やナイロン、軟質塩化ビニルなどのプラスチックシート、およびそれらの組み合わせなどを用いることができ、特に材質は制限されない。また、本発明の箱体に着脱自在に取り付けられる内装布には必要に応じて、小物収納用の内ポケットなどを設けてもよい。
【００１８】
スーツケースの形態によっては、蓋体２が箱体と同様に箱状の形状をとる場合もある。このような場合で、蓋体にも内装を施す場合には、箱体と同様にして内装布を着脱自在に取り付けることも有用である。
【産業上の利用可能性】
【００１９】
本願発明のスーツケースは内装布を必要とする大型鞄に好ましく適用されるものであるが、中、小型の鞄でも内装布を必要とする鞄には適用することができる。
【図面の簡単な説明】
【００２０】
【図１】本願発明のスーツケース本体および内装布の説明図である。
【図２】本願発明の他の態様のスーツケース本体の説明斜視図である。
【符号の説明】
【００２１】
１    スーツケース本体
２    蓋体
３    箱体襠部
４    箱体底部
５    エレメント装着テープ
６    内装布
７    内装布襠部
８    内装布底部
９    エレメント装着テープ
１０  補強枠
１１  把手の伸縮ポールの外筒
１２  キャスター
１３  面ファスナー
１４  エレメント装着テープ
【図１】
2009148324.tif 000003
【図２】
2009148324.tif 000004